(57)【要約】【課題】  終端抵抗の装着漏れがあっても、終端抵抗を確実に装着できる接続装置を得る。【解決手段】  本発明の終端抵抗の接続装置は、本発明の終端抵抗の接続装置は、一方の通信局(110)の終端抵抗が、入側コネクタ(711)に設けた終端抵抗(610) と、出側コネクタ(712)の接点と継電器(310)の接点とを接続した回路に設けた終端抵抗(611)とからなり、他方の通信局(120)の終端抵抗が、入側コネクタ(721)の接点と継電器(320)の接点とを接続した回路に設けた終端抵抗(621)からなり、かつ、一方の通信局(110)の継電器(310)の電源回路が、折返し信号線(500)と他方の通信局(120)の入側コネクタ(721)に設けた折返し配線(500a)とを経由した回路にしたものである。【選択図】    図１
2006139530.tif 000002
【特許請求の範囲】
【請求項１】
送受信機と継電器とを有する二つの通信局にそれぞれ設けた入側コネクタおよび出側コネクタと、ケーブルコネクタ(800)を有し前記二つの通信局間を接続するバス型の通信線路(400)と、前記一方の通信局(110)に設けた終端抵抗と、前記他方の通信局(120)側に設けた終端抵抗とを備えた終端抵抗の接続装置において、
前記一方の通信局(110)の終端抵抗は、入側コネクタ(711)に設けた終端抵抗(610) と、出側コネクタ(712)の接点と継電器(310)の接点とを接続した回路に設けた終端抵抗(611)とからなり、
前記他方の通信局(120)の終端抵抗は、入側コネクタ(721)の接点と継電器(320)の接点とを接続した回路に設けた終端抵抗(621)からなり、
かつ、前記一方の通信局(110)の継電器(310)の電源回路は、折返し信号線(500)と前記他方の通信局(120)の入側コネクタ(721)に設けた折返し配線(500a)とを経由した回路であることを特徴とする終端抵抗の接続装置。
【請求項２】
前記終端抵抗(611,621)は、前記一方の通信局(110)の出側コネクタ(712)および前記他方の通信局(120)の入側コネクタ(721)を装着すると、前記継電器(310, 320)の接点が開になって切断されるとともに前記通信線路(400)を前記一方の通信局(110)の送受信機(210)に接続されるものであり、
前記一方の通信局(110)の出側コネクタ(712)または前記他方の通信局(120)の入側コネクタ(721)が抜去され通信線路(400)を開にすると、前記終端抵抗(611,621)が接続されることを特徴とする請求項１記載の終端抵抗の接続装置。
【請求項３】
送受信機を有する二つの通信局にそれぞれ設けた入側コネクタおよび出側コネクタと、ケーブルコネクタ(800)を有し前記二つの通信局間を接続するバス型の通信線路(400)と、前記一方の通信局(110)側に設けた終端抵抗と、前記他方の通信局(120)側に設けた終端抵抗とを備えた終端抵抗の接続装置において、
前記一方の通信局(110)の終端抵抗は、入側コネクタ(711)に設けた終端抵抗(610) と、入側コネクタ(711)の端子と出側コネクタ(712)の端子とを接続した回路に設けた終端抵抗(611)とからなり、
前記他方の通信局(120)の終端抵抗は、入側コネクタ(721) の端子と出側コネクタ(722)の端子とを接続する回路に設けた終端抵抗(621)からなることを特徴とする終端抵抗の接続装置。
【請求項４】
前記一方の通信局(110)の出側コネクタ(712)は、接点が対向しばね圧により接触した端子対を少なくとも二個有し、前記端子対の一方の端子を前記終端抵抗(611)に接続し、他方の端子を前記送受信機(210)に接続したものであり、
前記ケーブルコネクタ(810)の端子は、一方の接触面が導通部であり、他方の接触面が絶縁体(911,912)を設けたものであり、この端子を少なくとも２個有し、前記出側コネクタ(712)の端子対に装着されるものであり、
前記他方の通信局(120)の出側コネクタ(722)は、接点が対向しばね圧により接触した端子対を少なくとも二個有し、前記端子対の一方の端子を前記終端抵抗(621)に接続し、他方の端子を前記送受信機(220)に接続したことを特徴とする請求項３記載の終端抵抗の接続装置。
【発明の詳細な説明】
【技術分野】
【０００１】
本発明は、バス型通信線路の終端抵抗の接続装置に関する。
【背景技術】
【０００２】
バス型通信線路は通信線路上の反射を抑えるために、通信線路の両端に終端抵抗を装着することが必要である。従来の終端抵抗の接続装置を図３のブロック図に示す。
図において、110、120は通信局、210、220は送受信機、310、320は継電器、400は通信線路、610、620は終端抵抗、711、721は入側コネクタ、712、722は出側コネクタ、800、810、820はケーブルコネクタである。
この終端抵抗の接続装置は、送受信機210、220を有する二つの通信局110、120が通信線路400を介して出側コネクタ712とケーブルコネクタ810、ケーブルコネクタ820と入側コネクタ721により接続されている。そして、終端抵抗610と620が手動により入側コネクタ711と出側コネクタ722にそれぞれ装着されている。
また、終端抵抗による作用を有効にするスイッチを設けて、そのスイッチをオンにすると、終端抵抗がバスの終端に接続されるものもある（例えば、特許文献１参照）。
【特許文献１】特開平１０−８４３９３号
【発明の開示】
【発明が解決しようとする課題】
【０００３】
従来のバス型の通信線路上に終端抵抗を装着する際、終端抵抗をコネクタにより実装する方法が一般的である。従来の方式によれば、人手により終端抵抗を装着するため、未装着、破損など終端抵抗の装着漏れが発生する場合があった。また、スイッチを開閉する方式においても、スイッチの操作もれも発生する問題がある。
本発明はこのような問題点に鑑みてなされたものであり、あらかじめ、終端抵抗を通信局の装置内に実装させ、通信局を通信線路に接続するケーブルコネクタを接続しない場合、終端抵抗を通信線路に接続させ、ケーブルコネクタと装置側コネクタを接続した際に、終端抵抗を通信線路から離し、通信線路を経由した次の通信局の終端抵抗を通信線路に接続することにより、装着漏れがあっても回路の破損を確実に防止できる終端抵抗の接続装置を提供することを目的とする。
【課題を解決するための手段】
【０００４】
上記問題を解決するため、本発明は、次のようにしたものである。
請求項１に記載の発明は、送受信機と継電器とを有する二つの通信局にそれぞれ設けた入側コネクタおよび出側コネクタと、ケーブルコネクタ(800)を有し前記二つの通信局間を接続するバス型の通信線路(400)と、前記一方の通信局(110)に設けた終端抵抗と、前記他方の通信局(120)側に設けた終端抵抗とを備えた終端抵抗の接続装置において、前記一方の通信局(110)の終端抵抗は、入側コネクタ(711)に設けた終端抵抗(610) と、出側コネクタ(712)の接点と継電器(310)の接点とを接続した回路に設けた終端抵抗(611)とからなり、前記他方の通信局(120)の終端抵抗は、入側コネクタ(721)の接点と継電器(320)の接点とを接続した回路に設けた終端抵抗(621)からなり、かつ、前記一方の通信局(110)の継電器(310)の電源回路は、折返し信号線(500)と前記他方の通信局(120)の入側コネクタ(721)に設けた折返し配線(500a)とを経由した回路にしたものである。
請求項２に記載の発明は、前記終端抵抗(611,621)は、前記一方の通信局(110)の出側コネクタ(712)および前記他方の通信局(120)の入側コネクタ(721)を装着すると、前記継電器(310, 320)の接点が開になって切断されるとともに前記通信線路(400)を前記一方の通信局(110)の送受信機(210)に接続されるものであり、前記一方の通信局(110)の出側コネクタ(712)または前記他方の通信局(120)の入側コネクタ(721)が抜去され通信線路(400)を開にすると、前記終端抵抗(611,621)が接続されるようにしたものである。
請求項３に記載の発明は、送受信機を有する二つの通信局にそれぞれ設けた入側コネクタおよび出側コネクタと、ケーブルコネクタ(800)を有し前記二つの通信局間を接続するバス型の通信線路(400)と、前記一方の通信局(110)側に設けた終端抵抗と、前記他方の通信局(120)側に設けた終端抵抗とを備えた終端抵抗の接続装置において、前記一方の通信局(110)の終端抵抗は、入側コネクタ(711)に設けた終端抵抗(610) と、入側コネクタ(711)の端子と出側コネクタ(712)の端子とを接続した回路に設けた終端抵抗(611)とからなり、
前記他方の通信局(120)の終端抵抗は、入側コネクタ(721) の端子と出側コネクタ(722)の端子とを接続する回路に設けた終端抵抗(621)からなるものである。
請求項４に記載の発明は、前記一方の通信局(110)の出側コネクタ(712)は、接点が対向しばね圧により接触した端子対を少なくとも二個有し、前記端子対の一方の端子を前記終端抵抗(611)に接続し、他方の端子を前記送受信機(210)に接続したものであり、
前記ケーブルコネクタ(810)の端子は、一方の接触面が導通部であり、他方の接触面が絶縁体(911,912)を設けたものであり、この端子を少なくとも２個有し、前記出側コネクタ(712)の端子対に装着されるものであり、
前記他方の通信局(120)の出側コネクタ(722)は、接点が対向しばね圧により接触した端子対を少なくとも二個有し、前記端子対の一方の端子を前記終端抵抗(621)に接続し、他方の端子を前記送受信機(220)に接続したものである。
【発明の効果】
【０００５】
本発明によれば、通信線路上に終端抵抗を装着する際に、装着し忘れがあっても確実に終端抵抗を装着することができる。
【発明を実施するための最良の形態】
【０００６】
以下、本発明の具体的実施例を図に基づいて説明する。
【実施例１】
【０００７】
図１は、本発明の実施例１を示すブロック図である。図において、310、320は継電器、500は折返し信号線、611、621は終端抵抗である。500は折返し信号線であり、通信局120内の短絡された折返し配線500aに接続されている。他の符号は、従来と同じであるため説明を省略する。
継電器310および継電器320は二極双投式であり、それぞれ接点310a〜310fと接点320a〜320fを内蔵している。通信局110と通信局120は、バス型の通信線路400に接続されており、送受信機210からデータを送受信する。バス型の通信線路400は、終端抵抗を通信線路の両端に装着する必要があるため、入側コネクタ711に終端抵抗610が装着されている。
【０００８】
つぎに、本実施例の動作について説明する
いま、ケーブルコネクタ810または820が抜かれた状態、すなわち、通信線路400に通信局110と通信局120が接続されていない場合について述べる。折返し信号線500と折返し配線500aが接続されていないため、継電器310の開閉動作は、接点310aは接点310bと接続され、接点310dは接点310eと接続され、終端抵抗612が接続される。通信局120の継電器320の開閉動作についても同様に、接点320aは接点320bと接続され、接点320dは接点320eと接続され、終端抵抗621が接続される。
つぎに、出側コネクタ712とケーブルコネクタ810とを接続し、ケーブルコネクタ820と入側コネクタ721とを接続した場合について述べる。折返し信号線500と折返し配線500aが接続され、継電器310の開閉動作が行われ、接点310aは接点310cに、接点310dは接点310fにそれぞれ接続され、送受信機210のデータが通信線路400の通信線路を介して、送受信機220と送受信される。通信局120においては、出側コネクタ722にはケーブルコネクタが接続されていないため、継電器320の開閉動作は行われず、接点320aは接点320bと接続され、接点320dは接点320eと接続され、終端抵抗620が装着されて、通信線路400の通信線路の両端を終端抵抗611と終端抵抗621で終端できる。
このように、ケーブルコネクタを装着するだけで、通信線路上に終端抵抗を装着できるため、装着し忘れなどなく確実に終端抵抗を装着することができる。また、終端抵抗を装着するための特別の駆動手段は必要なく、安価に作製することができる。
【実施例２】
【０００９】
図２は、本発明の実施例２を示すブロック図である。図において、712a〜712dは出側コネクタ712の端子、722a〜722dは出側コネクタ722の端子、810a、810bはケーブルコネクタ810の端子、911、912は絶縁体である。他の符号は、実施例１と同じであるため説明を省略する。
通信局110と通信局120は、バス型のネットワークに接続され、送受信機210によりデータを送受信する。バス型のネットワークにおいても、終端抵抗をネットワークの両端に装着する必要があるため、通信局110の入側コネクタ711に終端抵抗610を装着する。通信局110の出側コネクタ712は、端子712a〜712dを内部に持ち、ケーブルコネクタ810が装着されていない場合、端子712aと端子712bは接触し短絡している。また、端子712cと端子712dは接触し短絡している。端子712bと端子712dは、終端抵抗612を介して接続されている。ケーブルコネクタ810は、通信線路400に接続された端子810aと端子810bを内部に持ち、端子810aの片面は絶縁体911を、また通信線路400の端子810bの片面にも絶縁体912をそれぞれ設けてある。
【００１０】
つぎに、本実施例の動作について説明する
いま、ケーブルコネクタ810を出側コネクタ712に装着した場合、ケーブルコネクタ810の端子810ａが出側コネクタ712の端子712aと短絡するが、端子712bとは絶縁され、端子712aは端子712bと絶縁される。また、ケーブルコネクタ810の端子810bは出側コネクタ712の端子712cと短絡するが、端子712dとは絶縁され、端子712cは端子712dと絶縁される。この結果、終端抵抗612は通信線路400から絶縁される。通信線路400のケーブルコネクタ８２０を通信局120の入側コネクタ721に装着し、通信局110の送受信機210と通信局120の送受信機220が接続され、データの送受信が可能となる。通信局120の出側コネクタ722はケーブルコネクタが装着されていないため、端子722aと端子722bは接触し短絡され、また端子722cと端子722dは接触し短絡される。端子722bと端子722dは終端抵抗621を介して接続されているため、終端抵抗621は通信線路400の片端に装着されることになり、通信線路400は終端抵抗611と終端抵抗621により、両端を終端することができる。
実施例１と同様に、ケーブルコネクタを装着するだけで、通信線路上に確実に終端抵抗を装着することができる。
【図面の簡単な説明】
【００１１】
【図１】本発明の実施例１を示す終端抵抗の接続装置のブロック図
【図２】本発明の実施例２を示す終端抵抗の接続装置のブロック図
【図３】従来の終端抵抗の接続装置を示すブロック図
【符号の説明】
【００１２】
１１０、１２０  通信局
２１０、２２０  送受信機
３１０、３２０  継電器
３１０ａ〜３１０ｆ、３２０ａ〜３２０ｆ  接点
４００  通信線路
５００  折返し信号線
５００ａ  折返し配線
６１０、６１１、６２０、６２１  終端抵抗
７１１、７２１  入側コネクタ
７１２、７２２  出側コネクタ
７１２ａ〜７１２ｄ、７２２ａ〜７２２ｄ  端子
８００、８１０、８２０  ケーブルコネクタ
８１０ａ、８１０ｂ  端子
９１１、９１２  絶縁体
【図１】
2006139530.tif 000003
【図２】
2006139530.tif 000004
【図３】
2006139530.tif 000005